(57)【要約】【課題】ディスプレイとして陳列している状態で、空の容器のように見せると共に、小物が収納されている容器としても見せることができる小物収納容器を提供する。【解決手段】  本発明は、収納容器本体１１の上面に開口部が設けられ、対向した側面である第１正面板４１と第２正面板４２に開設した窓部に透明板４３を嵌着して内部を視認可能とし、その収納容器本体１１の左側面板３１と右側面板３２の対角線で形成される平面位置に仕切板を配設して収納部と擬似空間部とに仕切り、擬似空間部側の面に反射板を設けた小物収納容器とする。【選択図】  図１
2006131262.tif 000002
【特許請求の範囲】
【請求項１】
多面体とされた収納容器本体の上面又は左右の側面に開口部が形成され、対向した垂直な側面である第１正面板と第２正面板を透明板とし、もしくは両正面板に開設した窓部に透明板を嵌着して内部を視認可能とし、容器本体内部を２分割する平面位置であり、且つ、容器本体の内部の中心点を通る平面位置に仕切板を配設することにより、前記収納容器本体の開口部側に形成する収納部としての空間と底面板側に形成する擬似空間部としての空間とを形成し、この仕切板の擬似空間部側の面に反射板が貼着されていることを特徴とする小物収納容器。
【請求項２】
６面体とされた収納容器本体の上面に開口部が形成され、その収納容器本体の左側面板と右側面板の対角線のうち２本の平行な対角線で形成される平面位置に仕切板を配設することにより、前記収納容器本体を収納部としての空間と擬似空間部としての空間とに仕切られていることを特徴とする請求項1に記載した小物収納容器。
【請求項３】
前記開口部が容器本体と別体とされる蓋体により閉じられることを特徴とする請求項１または２に記載した小物収納容器。
【請求項４】
前記反射板に装飾物を備えたことを特徴とする請求項１乃至３の何れかに記載した小物収納容器。
【請求項５】
容器本体の内面において、擬似空間部の周囲壁面に模様を施したことを特徴とする請求項１乃至４の何れかに記載した小物収納容器。
【発明の詳細な説明】
【技術分野】
【０００１】
本発明は反射面を利用し、見た目に楽しさを感じることのできる小物収納容器に関するものである。
【背景技術】
【０００２】
今日、反射面を利用し、見た目に楽しい小物収納容器等としては、例えば特許文献１に示されるようなものがある。
この容器は、正面板と、背面板と、左側面板と、右側面板と、平面板と、底面板により構成される中空立方体の箱体である。該正面板には窓部が開設され、前記箱体内の、正面板と上部平面板との交差辺と、背面板と底面板との交差辺を結ぶ対角面位置に仕切板を配設し、前記箱体内を正面板側の擬似空間部と、背面板側の収納部とに分割し、前記仕切板の正面板側の面に反射面を形成し、該反射面に装飾物を固定し、前記平面板にコイン投入口を設けた箱とするものである。
【０００３】
この箱は、正面板に開設された窓部から、該箱の中を見ると、擬似空間部の内面が反射面に反射して映し出されるので、その反射面に映し出された内面が恰も収納用空間部の内面のように見せることができる。これにより、コイン投入口から収納部にコインを投入しても、前記窓部から視認されることなく、恰もコインが消えたかのように見せることができるものである。
【０００４】
【特許文献１】実公平７−８４２５
【発明の開示】
【発明が解決しようとする課題】
【０００５】
ところが、上記の従来の容器は、商品棚に陳列し、ディスプレイとして設置しても、装飾物が中空に浮いているだけの不思議な箱にしか見えず、実際に客がコインを投入しないことにはコインが消える不可思議さを客に見せることができなかった。つまり、上記考案では、その考案特有の効果を得るには外部からの作用が不可欠であり、ディスプレイとして設置するだけでは効果が小さいものであった。
【０００６】
本発明は、ディスプレイとして陳列している状態でも、小物を収納していることが確認できる面を客に向けたものと、空の容器に見える面を客に向けたものを同時に見せることで、同じ容器を空の容器のように見せると共に、小物が収納されている容器としても見える不可思議さを客に見せることができるものである。
【課題を解決するための手段】
【０００７】
本発明は、多面体とされた収納容器本体の上面又は左右側面の何れかに開口部が形成され、対向した垂直な側面である第１正面板と第２正面板を透明板とし、もしくは両正面板に開設した窓部に透明板を嵌着して内部を視認可能とし、容器本体内部を２分割する平面位置であって、且つ、容器本体の内部の中心点を通る平面位置に仕切板を配設することにより、前記収納容器本体の開口部側に形成する収納部としての空間と底面板側に形成する擬似空間部としての空間とを形成し、この仕切板の擬似空間部側の面に反射板が貼着されている小物収納容器である。
【０００８】
これにより、擬似空間部側の正面板から容器本体内部を覗くと、反射板による鏡像がみえる。これにより、底面板が恰も奥板に見えたり空箱の奥に鏡が貼着してあるように見え、仕切板及び反射板により区切られる右側面板及び左側面板などの虚偽空間部側の面が恰も容器内側面のように見える。この反射板により映し出される虚偽空間と、実際の観察者が目にすることのできる容器本体の内面とをあわせることで、仕切板および反射板がない空の容器のように錯覚させることができる。
【０００９】
また、本発明は、６面体とされた収納容器本体の上面に開口部が形成され、その収納容器本体の左側面板と右側面板の対角線のうち２本の平行な対角線で形成される平面位置に仕切板を配設することにより、前記収納容器本体を収納部としての空間と擬似空間部としての空間とに仕切られている小物収納容器である。
【００１０】
これにより、擬似空間部側の正面板から容器本体内部を覗くと、反射板による鏡像がみえる。これにより、底面板が恰も奥板に見え、また、仕切板及び反射板により対角線で区切られる右側面板及び左側面板などの虚偽空間部側の面が恰も容器内側面のように見える。この反射板により映し出される虚偽空間と、実際の観察者が目にすることのできる容器本体の内面とをあわせることで、仕切板および反射板がない空の容器のように錯覚させることができる。
【００１１】
そして、仕切板を長方形の板体とされることができ、且つ、仕切板を前記の平行な対角線で形成される平面位置、つまり対辺面位置に設置することができるため、該仕切板の形状を単純なものとし、且つ、設置が容易となる。
【００１２】
また、本発明は、開口部が容器本体と別体とされる蓋体により閉じられるものとした、小物収納容器である。
これにより、収納部に入れた小物を前記開口部からこぼれることなく収納することができ、また、小物が収納部いっぱいに入っていない状態で、仕切板が見えてしまうことを遮ることができる。
【００１３】
更に、本発明は、反射板に装飾物を備えた小物収納容器である。
これにより、反射板により、装飾物が映し出され、該装飾物が、容器部側に、反射板に対して対称である虚像を観察者に見せることができる。そして、該虚像と、前記装飾体をあわせることで、１つの立体形状が恰も容器本体内部の宙に浮いているように錯覚させることができる。
【００１４】
そして、容器本体の内面において、擬似空間部を構成する周囲壁面に模様を施した小物収納容器とするものである。
これにより、反射板に模様の施された壁面が映し出され、特に反射面板の縁の継ぎ目を視認させにくくすることができる。
【発明の効果】
【００１５】
本発明は、多面体とされた収納容器本体であって、対向した側面である第１正面板と第２正面板を透明板とし、もしくは両正面板に開設した窓部に透明板を嵌着すると共に、容器本体内部を２分割する平面位置であり、且つ、容器本体の内部の中心点を通る平面位置に仕切板を配設することにより、前記収納容器本体を開口部側に形成する収納部としての空間と底面板側に形成する擬似空間部としての空間とに仕切り、この仕切板の擬似空間部側の面に反射板が貼着されている小物収納容器である。
【００１６】
したがって、本発明を利用した商品を商品棚に陳列し、小物を収納部に入れて販売する時に、ディスプレイとして、第１窓部を客に対して正面に向けることにより、キャンディーなどが容器いっぱいに詰まって見せることができるものと、第２窓部を正面に向けた容器、つまり容器の虚偽空間部を正面側から見せることにより、容器本体を空の容器のように見せることができる状態として陳列することで、空の容器に見えるにもかかわらず小物が収納されている不可思議な容器として、見た目に楽しさを感じさせることができる。
【００１７】
また、本発明は、前記発明の収納容器本体を６面体とされ、左側面板と右側面板の対角線のうち２本の平行な対角線で形成される平面位置に仕切板を配設された小物収納容器である。
したがって、仕切板の形状及び配置を単純として、本発明にかかわる小物収納容器の製造、組立を容易とすることができる。
【００１８】
また、本発明は、開口部が容器本体と別体とされる蓋体により閉じられるものとした、小物収納容器である。
したがって、収納部に入れた小物が開口部からこぼれることを防止することができ、容器として小物を収容するのにも、また、持ち運ぶことにも便利である。
【００１９】
そして、反射板には装飾物を備える小物収納容器とするものである。
したがって、一つの立体形状が恰も容器本体内部の宙に浮いているような錯覚により、空の容器であるにもかかわらず中に小物が収納できるという不可思議さに加えて、さらに、容器内部の構造を不思議なものと思わせることができる。
【００２０】
さらに、容器本体の内面において、擬似空間部を構成する周囲壁面に模様を施した小物収納容器とするものである。
したがって、反射面板の縁の継ぎ目が視認されにくくなり、本発明のトリックである仕切板と反射面が外部からではわかりにくくすることができる。
【発明を実施するための最良の形態】
【００２１】
本発明は、６面体とされた収納容器本体の上面に開口部が設けられ、対向した側面である第１正面板４１と第２正面板４２を透明板４３とし、もしくは両正面板に開設した窓部に透明板４３を嵌着して内部を視認可能とし、その収納容器本体の左側面板３１と右側面板３２の対角線のうち２本の平行な対角線で形成される平面位置に仕切板７１を配設することにより、前記容器本体１１を開口部側の収納部としての空間と底面板２１側に形成する擬似空間部としての空間とに仕切り、この仕切板７１の擬似空間部側の面に反射板７３が貼着され、開口部が容器本体１１と別体とされる蓋体６１により閉じられるものとし、反射板７３に装飾物７５を備え、容器本体１１の内面において、擬似空間部の周囲壁面に模様を施した小物収納容器とするものである。
【実施例】
【００２２】
本発明にかかる小物収納容器は、図１に示すように、容器本体１１と蓋体６１により構成される。そして、容器本体１１は上面に開口部が形成され、該開口部が蓋体６１により閉じられることで箱体が構成される。
【００２３】
この容器本体１１は、図２に示すように、左側面板３１と、右側面板３２と、第１正面板４１と、さらには第２正面板４２が各々底面板２１に対し直角となるように底面板２１の四辺に取付けられており、これら各面板は正方形の板体とされる。尚、第１正面板４１と第２正面板４２、左側面板３１と右側面板３２は各々対向するものとされている。
第１正面板４１および第２正面板４２は、正方形の板体であり、第１正面板４１には正方形の第１窓部４１０が、第２正面板４２には第２窓部４２０が各々開設されている。そして、その第１窓部４１０および第２窓部４２０の内面側の縁に、その第１窓部４１０および第２窓部４２０より一回り大きい正方形の窓枠が形成され、該窓枠にガラス体や合成樹脂などからなる正方形の透明板４３が嵌着されることにより、容器本体１１の内部が視認できるものとされる。
【００２４】
また、左側面板３１および右側面板３２の容器内側の面には段部３７を２本の平行な対角線（底面板２１側の辺および第１正面板４１側の辺がなす隅角と、平面板側の辺および第２正面板４２側の辺がなす隅角とを結ぶ対角線）位置に設ける。
また、左側面板３１および右側面板３２の内面に、開口部から蓋の厚さと略同じ距離に突条３５が、両側面板の上辺に平行に形成される。
【００２５】
そして、図１に示したように、蓋体６１は容器本体１１とは別体とされている。また、この蓋体６１は、容器本体１１の開口部を閉じることができるように、同形状に形成された板体であり、その中心に球形の膨出部を有する取手部６３が設けられている。
【００２６】
図２に示したように、仕切板７１は長方形の板体であり、前記容器本体１１の右側方および左側方の段部３７に掛け止められることで、容器本体１１を２つの空間に仕切り、図４に示すように、第１正面板４１側の空間を擬似空間部とし、第２正面板４２側の空間を収納部とする。
【００２７】
そして、仕切板７１の擬似空間部側の面に、該仕切板７１と略同一の形状の反射板７３が貼着されている。これにより、底面板２１と第１正面板４１との交線から、第２正面板４２と蓋体６１との交線の、箱体の対辺を結ぶ対辺面の第２正面板４２側の面に、鏡平面が構成される。
【００２８】
この反射板７３により、図３に示したように、底面板２１の内面が恰も容器本体１１の第１正面板４１の裏側の面のように見え、反射板７３により対角線で区切られる右側面板３２及び左側面板３１の虚偽空間部側の内面が、反射板に対して対称となる右側面板３２及び左側面板３１の容器部側の内面のように見える鏡像が映し出される。
【００２９】
この反射板７３により映し出される虚偽空間と、実際の観察者が目にすることのできる容器本体１１の内面とをあわせることで、第２窓部から覗いた時に仕切板７１および反射板７３が設置されていない空の容器のように錯覚させることができる。
【００３０】
この反射板７３は、例えばフレキシブルな合成樹脂製の薄板の表面にアルミ箔を接着（又はアルミを蒸着）することにより形成することができる。
【００３１】
更に、反射板７３の縁の継ぎ目を視認させにくくするため、図３に示すように、容器本体１１の虚偽空間部側の底面板２１、左側面板３１および右側面板３２の、虚偽空間部側の容器内面に模様を施す。この模様は反射板７３の縁の継ぎ目付近を遠方とし、また、継ぎ目から離れると近傍となるような遠近法を利用した騙し絵を利用することで、より一層、容器本体１１内の装飾物７５が恰も空中で浮いているかのように見せることができる。
【００３２】
また、装飾物７５は、図２に示したように、立体物を左右対称となる軸面で半分に切断し、反射板７３の略中心に、接着、もしくはネジ等により固定する。例えば、キャラクターの立体物を装飾物７５として用いる場合、キャラクターを左右対称となる中心線に沿って２つに切断したものを用いる。
【００３３】
これにより、図３に示したように、反射板７３に装飾物７５が映し出され、反射板７３に対して対称となる容器部側に装飾物７５あるかのような虚像を見せることができる。そして、該虚像と、観察者が実際に目にする装飾体を合成することにより、１つの立体形状が恰も容器本体１１の内部の宙に浮いているように錯覚させることができる。
【００３４】
したがって、本発明により、容器本体１１の内部に小物を収納すると、第１窓部４１０から収納した小物を見ることができるが、第２窓部４２０から見ると、立体形状が恰も容器本体１１の内部に浮いているように見える不思議な容器で、見た目に楽しく物を収納することができる。
【００３５】
また、本発明にかかわる実施例を商品棚に陳列し、小物、例えばキャンディー等を収納部に入れて販売する際に、第１窓部４１０を客に対して向けたものと、第２窓部４２０を向けたものをディスプレイとして設置する。
これにより、第１窓部４１０を客に対して向けたものは、図１に示したように、キャンディーが容器一杯に詰まっているように見せることができるが、第２窓部４２０を客に対して向けたものは、図３に示したように、空の容器に見せることができ、且つ、装飾体が宙に浮いている不思議な容器として見せることができる。その結果、前記２つの状態の容器をディスプレイとして並べて陳列することで、同じ容器で恰も空の容器に見えるものと、小物が収納されているものとして見える不可思議さを見せることができる。
【００３６】
従って、本発明を利用した商品を客が実際に試さなくても上記効果を確認させることができるため、本発明を利用した商品に対する客の関心を引くことができる。その結果、本発明は商品に利用することにより、大きな販売効果が期待できる。
【００３７】
また、蓋体６１により開口部を閉じることで、収納部に入れた小物を前記開口部からこぼれることなく収納することができ、また、小物が収納部いっぱいに入っていなくても仕切板７１が開口部から見えることを遮ることができる。
さらに、取手部６３により、容易に蓋体６１の開閉を行うことができる。尚、蓋体６１の取手部６３は、球形の膨出部でも、棒状体の突出部等としてもよい。
【００３８】
また、容器本体１１に形成された突条３５により、蓋体６１の端部が係合し、蓋体６１を容器部内に落さずに開口部を閉じる状態とすることができる。
また、仕切板７１及び反射板７３が該段部３７へ掛け止められることで、反射板７３の継ぎ目を外部から見えにくくすることができる。
【００３９】
尚、上記実施例では蓋体６１により開口部が閉じられるものとしているが、蓋体６１がないものとし、開口部が閉じられないものとしてもよいし、ヒンジ等によりが蓋体６１とその周辺の天板を構成する平面板を用いても良い。
また、反射板７３は、シート状体とされて仕切板７１に貼着されるものでも良く、もしくは、板体とされて反射板７３に設置されるのでも良い。
【００４０】
さらにまた、装飾物７５を接着する位置は反射板７３の中心に限らずどの位置でも良い。
さらにまた、上記実施例では虚偽空間部の内面に遠近法を利用した模様を施したが、遠近法を利用しない模様を施しても、また何も模様を施さなくても良い。
【００４１】
また、図５に示すように、容器本体１１において、底面板２１と左側面板３１、右側面板３２、第２正面板４２を一体として形成するのもよい。これにより、本発明を利用した製品の組立を容易にすることができる。
また、容器本体１１内面の左側面板３１および右側面板３２に、嵌合溝３９が両側面板の上辺に対して平行に形成される。そして、該嵌合溝３９に、正方形の板体である平面板４４が嵌合設置される。
【００４２】
この平面板４４は、正方形の開口部を開設し、その開口部の内面側の縁に、その開口部よりも一回り大きい正方形の段部４４０が形成される。そして、前記蓋部８１は開口部よりも僅かに大きく、前記段部４４０に掛止されることで、蓋部８１により該開口部を閉じることができる。
また、第１正面板４１の代わりに透明板４３が接着される。この場合、底面板２１付近の仕切板７１が第１窓部４１０から視認されてしまうことを防ぐため、透明板４３の周囲を目隠しするための装飾板８１が設置される。
【００４３】
そして、上記実施例における容器本体において、８個の頂点部分を均等に切り欠くことで、左側面板、右側面板と、第１正面板と、第２正面板、底面板、平面板が正８角形とされる場合や、また、前記実施例の正６面体の頂点部分に正３角形の板体が取付られることで容器本体の形状が切隅正６面体とされる場合もある。
この場合、仕切板はその角が切り欠かれることで８角形の板体となる。
【００４４】
なお、容器本体の形状は小菱形立方八面体等の純正多面体や、正６角柱のような正多角柱等の多面体とすることもある。
もっとも、容器本体を正６面体などの６面体とすれば、図２に示したように、左側面板３１及び右側面板３２に設けられる段部３７の形成や、仕切板７１の形成及び取付が容易となる。
【００４５】
また、他の実施の形態として、仕切板が容器の中心を通り、且つ、底面板に対して垂直に設置することもある。
この実施の形態においても、仕切板の第２正面板側の面に反射板を貼着することにより、第２正面板側の面に鏡平面を構成するものである。
【００４６】
したがって、反射板により区切られる底面板や右側面板及び左側面板の虚偽空間部側の内面が、反射板に対して対称となって底面板、右側面板、左側面板として容器部の内面のように見える鏡像が映し出される。
この反射板により映し出される虚偽空間と、実際の観察者が目にすることのできる容器本体の内面とをあわせることで、この実施例においても、第２窓部から覗いた時に仕切板および反射板が設置されていない空の容器であり、且つ、奥板に鏡が設置されているように錯覚させることができ、第1正面板側から見ると中に物を収納した容器として見せることができる。
【００４７】
なお、開口部は容器本体の上面又は左の側面、若しくは右の側面の何れかの面において、仕切板より第１正面板側に形成するものである。
該開口部は蓋体により閉じるものとしてもよく、また、収納部に該収納部内面と略同形状の引き出しを摺動可能に設置するものとしてもよい。
【図面の簡単な説明】
【００４８】
【図１】本発明の実施例にかかわる使用図である
【図２】本発明の実施例にかかわる分解斜視図である。
【図３】本発明の実施例にかかわる斜視図である。
【図４】本発明の実施例にかかわる断面図である。
【図５】本発明の実施例にかかわる分解斜視図である。
【符号の説明】
【００４９】
１１  容器本体
２１  底面板
３１  左側面板
３２  右側面板
３５  突条
３７  段部
３９  嵌合溝
４１  第１正面板
４２  第２正面板
４１０  第１窓部
４２０  第２窓部
４１１  窓枠
４３  透明板
４４  平面板
４４０  段部
５１  模様
６１  蓋体
６３  取手部
７１  仕切板
７３  反射板
７５  装飾物
８１  装飾板
【図１】
2006131262.tif 000003
【図２】
2006131262.tif 000004
【図３】
2006131262.tif 000005
【図４】
2006131262.tif 000006
【図５】
2006131262.tif 000007